(57)【要約】【課題】  軸受の冷却を兼ねた潤滑油供給が行え、軸受内に必要量以上の潤滑油が入ることを効果的に制限することで、油による攪拌抵抗を抑えられて、動力損失が小さく、かつ円筒ころ端面の潤滑を向上させることができ、そのための潤滑油供給路の加工が容易で、潤滑油供給路での目詰まりが生じにくいころ軸受の潤滑装置を提供する。【解決手段】  ころ軸受１の円筒ころ４の端面および内輪２の端面に接する鍔輪６０を設ける。この鍔輪６０と内輪２の端面間に内輪軌道面２ａの軸方向端で軸受空間に開口する潤滑油量調整空間６１を形成する。鍔輪６０の内輪２に対する反対側の端面に全周に続く円周溝６を設ける。この円周溝６内に、軸受冷却媒体を兼ねる潤滑油を吐出するノズル８を、ころ軸受１の外輪３に隣接する潤滑油導入部材７に設ける。円周溝６の底面から鍔輪６０を軸方向に貫通して潤滑油量調整空間６１に通じる潤滑油孔６２を、円周方向の複数箇所に設ける。【選択図】        図２
2008286270.tif 000002
【特許請求の範囲】
【請求項１】
ころ軸受のころの端面および内輪の端面に接する鍔輪を設け、この鍔輪と前記内輪の端面間に内輪軌道面の軸方向端で軸受空間に開口する潤滑油量調整空間を形成し、前記鍔輪の前記内輪に対する反対側の端面に全周に続く円周溝を設け、この円周溝内に、軸受冷却媒体を兼ねる潤滑油を吐出するノズルを、前記ころ軸受の外輪に隣接する潤滑油導入部材に設け、前記円周溝の底面から前記鍔輪を軸方向に貫通して前記潤滑油量調整空間に通じる潤滑油孔を、円周方向の複数箇所に設けたことを特徴とするころ軸受の潤滑装置。
【請求項２】
請求項１において、前記潤滑油量調整空間は、前記鍔輪の端面に形成された溝または切欠きであるころ軸受の潤滑装置。
【請求項３】
ころ軸受のころの端面および内輪の端面に接する鍔輪を設け、この鍔輪と前記内輪の端面間に内輪軌道面の軸方向端で軸受空間に開口する潤滑油量調整空間を形成し、前記内輪の前記鍔輪に接する端面とは反対側の端面に全周に続く円周溝を設け、この円周溝内に、軸受冷却媒体を兼ねる潤滑油を吐出するノズルを、前記ころ軸受の外輪に隣接する潤滑油導入部材に設け、前記円周溝の底面から前記内輪を軸方向に貫通して前記潤滑油量調整空間に通じる潤滑油孔を、円周方向の複数箇所に設けたことを特徴とするころ軸受の潤滑装置。
【請求項４】
請求項３において、前記潤滑油量調整空間は、前記内輪の端面に形成された溝または切欠きであるころ軸受の潤滑装置。
【請求項５】
請求項１ないし請求項４のいずれか１項において、前記ころ軸受は、円筒ころ軸受または円すいころ軸受であるころ軸受の潤滑装置。
【請求項６】
請求項１ないし請求項５のいずれか１項において、前記ころ軸受が、工作機械の主軸軸受として用いられるものであるころ軸受の潤滑装置。
【発明の詳細な説明】
【技術分野】
【０００１】
この発明は、工作機械用主軸等の高速スピンドルの支持に用いられるころ軸受の潤滑装置に関する。
【背景技術】
【０００２】
工作機械用主軸では加工能率を上げるため、ますます高速化の傾向にある。主軸の高速化に伴い主軸軸受の潤滑も搬送エアに潤滑油を混合して油をノズルより軸受内に噴射するエアオイル潤滑が多く用いられている。
一般的なエアオイル潤滑は、多量の高圧エアを必要とし、騒音も大きいため、低騒音・省エネ・省資源の目的から、改良型のエアオイル潤滑構造も提案されている（例えば、特許文献１）。特許文献１に開示されたエアオイル潤滑構造は、転がり軸受の内輪の外径面に斜面部を設け、この斜面部に潤滑油流入隙間を持って沿うノズル部材を設けたものである。
【０００３】
エアオイル潤滑は、一般的なエアオイル潤滑に限らず、特許文献１に示されたような改良型のエアオイル潤滑構造でも、軸受の冷却作用が小さく、高速運転すると内外輪温度差が（内輪）＞（外輪）のため予圧過大等を生じさせる欠点がある。
【０００４】
軸受の温度上昇を小さく抑える潤滑方法としては、多量の油を軸受内に噴射し、軸受の潤滑と冷却を同時に行うジェット潤滑があるが、軸受内に入った油による攪拌抵抗によりパワーロスが大きくなる欠点がある。
【０００５】
このため、ジェット潤滑により発熱を低減し、かつ軸受内部に入る潤滑油量を制限することにより、油による攪拌抵抗を小さくした新しいジェット潤滑構造も提案されている（例えば、特許文献２）。
【０００６】
特許文献２などに開示される新ジェット潤滑構造は、外輪側間座等からなる潤滑油導入部材から吐出した潤滑油を、内輪の端面に設けた円周溝で受けて内輪発熱を冷却するものである。冷却後の潤滑油は、大部分が軸受外に排出されるが、少量は軸受潤滑用として潤滑油導入部材と内輪の外径斜面との間に設けた潤滑油流入隙間から、内輪の軌道面に流入する。これにより、軸受内部には少量の潤滑油しか入らず、攪拌抵抗が小さくなり、主軸の駆動トルクも小さくなる。
【特許文献１】特開２００２−６１６５７号公報
【特許文献２】特開２００５−１８０７０３号公報
【発明の開示】
【発明が解決しようとする課題】
【０００７】
上述したように、特許文献２に示された新ジェット潤滑構造は、冷却と微量潤滑とが行える点で優れた潤滑構造である。そこで、この潤滑構造を、特許文献２には示されていないアンギュラ玉軸受以外の軸受にも適用することにした。
例えば、円筒ころ軸受に適用した場合、図１３のようになる。すなわち、潤滑油導入部材７Ｄから吐出した潤滑油を、内輪２の端面に設けた円周溝６で受けて内輪２の発熱を冷却するものである。冷却後の潤滑油は、大部分が軸受外に排出されるが、少量は軸受潤滑用として、潤滑油導入部材７Ｄに設けられた鍔状突起７Ｄａと内輪２の外径斜面２ｃとの間の潤滑油流入隙間δから、内輪２の軌道面に流入する。
【０００８】
円筒ころ軸受の場合、内輪２の軌道面２ａと円筒ころ４の転動面が接触するだけでなく、内輪２の鍔面２ｂと円筒ころ４の端面も接触する。後者の接触箇所は、スキュー等により接触しながら回転し、また滑り接触となるため、潤滑不足となる不具合の生じ易い箇所である。そのため、上記の新ジェット方式による微量潤滑では、潤滑不足となる恐れがある。
【０００９】
上記潤滑不足を解決するために、本出願人は、図１４または図１５に示すころ軸受の潤滑装置を提案した（特願２００６−２４３８７６）。このころ軸受の潤滑装置は、潤滑油導入部材７のノズル８から吐出した潤滑油を、内輪２の端面に設けた円周溝６で受けて内輪２の発熱を冷却する点では、図１３のものと同じである。これに加えて、図１４の提案例では、円周溝６の底面から内輪２を軸方向に貫通する軸方向貫通孔５２を円周方向の複数箇所に設け、この軸方向貫通孔５２から分岐して、内輪２の両側の鍔面と軌道面２ａ間の隅部に形成された各研磨盗み５３へ通じる潤滑用給油孔５４を設けてある。また、図１５の提案例では、円周溝６の底面から前記研磨盗み５３へ直接に通じる潤滑用給油孔５４を設けてある。
これら提案例の構成によれば、潤滑用給油孔５４を介して研磨盗み５３に潤滑油が供給されるため、この研磨盗み５３に近接する内輪２の鍔面２ｂや軌道面２ａに十分な潤滑を行える。
【００１０】
しかし、上記提案の構成とする場合、研磨盗み５３に必要量以上に潤滑油が流入するのを防ぐために、潤滑用給油孔５４は小径の孔とする必要がある。そのような小径の孔を、軸方向貫通孔５２と研磨盗み５３間、または円周溝６と研磨盗み５３間に設けるのは、加工が非常に難しいという問題がある。また、小径の潤滑用給油孔５４は目詰まりが懸念される。
【００１１】
この発明の目的は、軸受の冷却を兼ねた潤滑油供給が行え、軸受内に必要量以上の潤滑油が入ることを効果的に制限することで、油による攪拌抵抗を抑えられて、動力損失が小さく、かつころ端面の潤滑を向上させることができ、そのための潤滑油供給路の加工が容易で、潤滑油供給路での目詰まりが生じにくいころ軸受の潤滑装置を提供することである。
【課題を解決するための手段】
【００１２】
この発明における第１の発明にかかるころ軸受の潤滑装置は、ころ軸受のころの端面および内輪の端面に接する鍔輪を設け、この鍔輪と前記内輪の端面間に内輪軌道面の軸方向端で軸受空間に開口する潤滑油量調整空間を形成し、前記鍔輪の前記内輪に対する反対側の端面に全周に続く円周溝を設け、この円周溝内に、軸受冷却媒体を兼ねる潤滑油を吐出するノズルを、前記ころ軸受の外輪に隣接する潤滑油導入部材に設け、前記円周溝の底面から前記鍔輪を軸方向に貫通して前記潤滑油量調整空間に通じる潤滑油孔を、円周方向の複数箇所に設けたことを特徴とする。
【００１３】
この構成によると、ノズルから吐出された潤滑油は、鍔輪端面の円周溝で受けられ、鍔輪およびそれに接する内輪を冷却する。円周溝で受けられた潤滑油は、一部は円周溝から外径側へ放出され、そのうちの一部または全体が軸受内へ流入する。これにより、軸受の冷却を兼ねた潤滑油供給が行える。円周溝で受けられた潤滑油の残りの一部は、潤滑油孔を通って潤滑油量調整空間に流入する。潤滑油孔を流通する潤滑油および潤滑油量調整空間に流入した潤滑油により、鍔輪がさらに冷却される。この冷却された鍔輪により、それに接する内輪が冷却される。また、潤滑油量調整空間に流入した潤滑油により、内輪は直接的にも冷却される。潤滑油量調整空間から潤滑油が軸受空間に流出し、その流出した潤滑油により、滑り接触やスキューによって潤滑不足となり易いころの端面が潤滑される。また、軌道面へも潤滑油が供給され、給油不足が回避できる。
潤滑油量調整空間は、別体である鍔輪と内輪の端面間に形成されているため、加工が容易である。そのため、潤滑油量調整空間から軸受空間に流出する潤滑油量が適正となるよう精度良く潤滑油量調整空間を加工することができる。
【００１４】
第１の発明において、前記潤滑油量調整空間は、前記鍔輪の端面に形成された溝または切欠きとすることができる。潤滑油量調整空間を鍔輪の端面に形成された溝または切欠きとすると、鍔輪だけの加工で済むので、潤滑油量調整空間の加工がより一層容易となり、潤滑油量調整空間の加工精度を向上させることができる。
【００１５】
この発明における第２の発明にかかるころ軸受の潤滑装置は、ころ軸受のころの端面および内輪の端面に接する鍔輪を設け、この鍔輪と前記内輪の端面間に内輪軌道面の軸方向端で軸受空間に開口する潤滑油量調整空間を形成し、前記内輪の前記鍔輪に接する端面とは反対側の端面に全周に続く円周溝を設け、この円周溝内に、軸受冷却媒体を兼ねる潤滑油を吐出するノズルを、前記ころ軸受の外輪に隣接する潤滑油導入部材に設け、前記円周溝の底面から前記内輪を軸方向に貫通して前記潤滑油量調整空間に通じる潤滑油孔を、円周方向の複数箇所に設けたことを特徴とする。
【００１６】
この構成によると、ノズルから吐出された潤滑油は、内輪端面の円周溝で受けられ、端面から内輪を冷却する。円周溝で受けられた潤滑油は、一部は円周溝から外径側へ放出され、そのうちの一部または全体が軸受内へ流入する。これにより、軸受の冷却を兼ねた潤滑油供給が行える。円周溝で受けられた潤滑油の残りの一部は、潤滑油孔を通って潤滑油量調整空間に流入する。潤滑油孔は内輪を軸方向に貫通しているため、この潤滑油孔に潤滑油が流入することで、内輪が軸方向全体で冷却される。そのため、内輪が軸方向に均等に冷却され、内輪軌道面軸方向の冷却分布の差を抑えることができる。潤滑油量調整空間から潤滑油が軸受空間に流出し、その流出した潤滑油により、滑り接触やスキューによって潤滑不足となり易いころの端面が潤滑される。また、軌道面へも潤滑油が供給され、給油不足が回避できる。
潤滑油量調整空間は、別体である鍔輪と内輪の端面間に形成されているため、加工が容易である。そのため、潤滑油量調整空間から軸受空間に流出する潤滑油量が適正となるよう精度良く潤滑油量調整空間を加工することができる。
【００１７】
第２の発明において、前記潤滑油量調整空間は、前記内輪の端面に形成された溝または切欠きとすることができる。潤滑油量調整空間を内輪の端面に形成された溝または切欠きとすると、内輪だけの加工で済むので、潤滑油量調整空間の加工がより一層容易となり、潤滑油量調整空間の加工精度を向上させることができる。
【００１８】
この発明において、前記ころ軸受は、円筒ころ軸受または円すいころ軸受とすることができる。ころ軸受が円筒ころ軸受および円すいころ軸受のいずれである場合も、前記潤滑油孔を無理なく設けることができ、前記作用が得られる。
【００１９】
この発明において、前記ころ軸受が、工作機械の主軸軸受として用いられるものであっても良い。工作機械の主軸は、加工能率を上げるために高速化の傾向があり、その一方で、主軸の熱膨張は、加工精度の向上のために防止することが重要となる。そのため、この発明における軸受の冷却を兼ねた潤滑油供給が行え、かつ潤滑油の安定した微量供給が行えるという効果が有効に発揮される。
【発明の効果】
【００２０】
この発明のころ軸受の潤滑装置は、ころ軸受のころの端面および内輪の端面に接する鍔輪を設け、この鍔輪と前記内輪の端面間に内輪軌道面の軸方向端で軸受空間に開口する潤滑油量調整空間を形成し、前記鍔輪の前記内輪に対する反対側の端面に全周に続く円周溝を設け、この円周溝内に、軸受冷却媒体を兼ねる潤滑油を吐出するノズルを、前記ころ軸受の外輪に隣接する潤滑油導入部材に設け、前記円周溝の底面から前記鍔輪を軸方向に貫通して前記潤滑油量調整空間に通じる潤滑油孔を、円周方向の複数箇所に設けるか、またはころ軸受のころの端面および内輪の端面に接する鍔輪を設け、この鍔輪と前記内輪の端面間に内輪軌道面の軸方向端で軸受空間に開口する潤滑油量調整空間を形成し、前記内輪の前記鍔輪に接する端面とは反対側の端面に全周に続く円周溝を設け、この円周溝内に、軸受冷却媒体を兼ねる潤滑油を吐出するノズルを、前記ころ軸受の外輪に隣接する潤滑油導入部材に設け、前記円周溝の底面から前記内輪を軸方向に貫通して前記潤滑油量調整空間に通じる潤滑油孔を、円周方向の複数箇所に設けたため、軸受の冷却を兼ねた潤滑油供給が行え、軸受内に必要量以上の潤滑油が入ることを効果的に制限することで、油による攪拌抵抗を抑えられて、動力損失が小さく、かつころ端面の潤滑を向上させることができ、そのための潤滑油供給路の加工が容易で、潤滑油供給路での目詰まりが生じにくい。
【発明を実施するための最良の形態】
【００２１】
第１の発明の実施形態を図１ないし図４と共に説明する。図１はこの実施形態のころ軸受の潤滑装置の断面図を示す。このころ軸受の潤滑装置は、潤滑油導入部材７からころ軸受１に向けて多量の潤滑油をジェット噴射し、軸受の潤滑と冷却を同時に行うものである。ころ軸受１は、工作機械の主軸軸受として用いられるものであって、図２に拡大して示すように、片鍔付きの内輪２と、この内輪２の鍔無し側の端面に接する鍔輪６０と、鍔無しの外輪３とを有し、内外輪２，３の軌道面２ａ，３ａ間に転動体である複数の円筒ころ４が介在させてあり、円筒ころ軸受として構成されている。各円筒ころ４は、環状の保持器５により、円周方向に所定間隔を隔てて、この保持器５に設けられた各ポケット５ａ内で保持されている。内輪２および鍔輪６０は主軸２５の外径面に嵌合し、外輪３は図示しない軸受箱内に固定される。
【００２２】
鍔輪６０の内輪２に対する反対側の端面には、全周に続く円周溝６が設けられている。また、鍔輪６０の内輪２と接する側の端面には、環状の溝が設けられ、内輪２と鍔輪６０間に潤滑油量調整空間６１が形成されている。この潤滑油量調整空間６１は、その外周端が内輪軌道面２ａの軸方向端で軸受空間に開口している。潤滑油量調整空間６１の軸方向幅は、径方向のどの位置でも一定である。円周溝６の底面から潤滑油量調整空間６１へ、鍔輪６０を軸方向に貫通する潤滑油孔６２が通じている。この潤滑油孔６２は、図３に示すように、円周方向の複数箇所に設けられている。
【００２３】
潤滑油導入部材７は、ころ軸受１の鍔輪６０の有る側で外輪３に隣接して配置される外輪位置決め間座であって、軸受箱内に固定される。潤滑油導入部材７には、後記軸受外排油口１０から潤滑油が軸方向に漏洩するのを規制する潤滑油漏洩規制部材１５が組み合わせてある。ころ軸受１の鍔輪６０は内輪間座２１により位置決めされる。
【００２４】
潤滑油導入部材７には、ころ軸受１の鍔輪６０の円周溝６に潤滑油を吐出するノズル８と、潤滑油導入部材７の外径面から内径側に向けて延び前記ノズル８に連通する給油路９とが形成されている。給油路９は、外径面に設けられた給油路環状溝部９ａと、この給油路環状溝部９ａの底面から内径側に延びる給油路個別孔部９ｂとでなる。給油路個別孔部９ｂの先端にノズル８が連通する。図４に示すように、給油路個別孔部９ｂおよびノズル８は、潤滑油導入部材７の円周方向の等配位置に当たる複数箇所（例えば３箇所）に設けられている。
【００２５】
潤滑油導入部材７のころ軸受１に対向する面には、軸受側に突出する環状鍔部７ａが設けられている。この環状鍔部７ａは、鍔輪６０と保持器５間の径方向位置に設けられていて、その先端は保持器５の内径側まで延びている。環状鍔部７ａの内径面と鍔輪６０の外径面との間には、潤滑油流入隙間δが形成されている。環状鍔部７ａの内径面および鍔輪６０の外径面はいずれも円筒面であり、潤滑油流入隙間δは、軸方向の各部の隙間寸法が一定とされている。
【００２６】
潤滑油導入部材７の円周方向の１カ所に、ノズル８から円周溝６内に吐出された潤滑油のうち軸受空間内に入らなかった潤滑油を外部に排出する軸受外排油口１０と、軸受空間に入った潤滑油を外部に排出する軸受内排油口１１とが設けられている。軸受内排油口１１は、潤滑油導入部材７の端面に形成された溝であり、潤滑油導入部材７がころ軸受１の外輪３と接触状態で配置されることにより両者７，３間に形成される。
【００２７】
この構成のころ軸受の潤滑装置によると、潤滑油導入部材７の外径側から給油路９を経て導入された冷却媒体兼用の潤滑油が、ノズル８から鍔輪６０の円周溝６に向けて噴出される。円周溝６で受け止められた潤滑油により、鍔輪６０が冷却される。さらに、冷却された鍔輪６０により内輪２が冷却される。
【００２８】
円周溝６で受け止められた潤滑油の一部は、鍔輪６０を軸方向に貫通する潤滑油孔６２を通って潤滑油量調整空間６１に流入し、さらに潤滑油量調整空間６１から軸受空間に入り、鍔輪６０の鍔面６０ａおよび内輪２の軌道面２ａを潤滑する。内輪２の軌道面２ａを潤滑した潤滑油は、その後、内輪２の鍔面２ｂも潤滑する。また、円周溝６で受けられた潤滑油は、一部が円周溝６から外径側へ放出され、そのうちの一部が潤滑油導入部材７の環状鍔部７ａと内輪２の外径面との間の隙間δを通って軸受内へ流入し、潤滑に使用される。
【００２９】
潤滑油量調整空間６１から、滑り接触やスキューによって潤滑不足となり易い鍔輪６０の鍔面６０ａや内輪２の鍔面２ｂ、すなわち円筒ころ４の端面に重点的に潤滑油が供給されるため、総量的には少ない潤滑油でありながら、円筒ころ４の端面の潤滑が良好に行える。また、内輪２の軌道面２ａの潤滑も良好に行える。潤滑油量調整空間６１から軸受空間に入る潤滑油量は、潤滑油量調整空間６１の幅を適正に設定することにより管理できる。潤滑油量調整空間６１は、別体である鍔輪６０と内輪２の端面間に形成されていて、鍔輪６０の端面に設けた溝からなるため、潤滑油量調整空間６１の加工が容易である。そのため、潤滑油量調整空間６１を任意の幅に精度良く加工することができ、軸受空間に入る潤滑油量を正確に管理できる。また、潤滑油量調整空間６１は、孔ではなく径方向の幅を有するものであるため、部分的な目詰りは生じても完全な目詰り状態にはならない。
軸受空間に入る潤滑油の総量は少ないため、油による攪拌抵抗が小さく、主軸２５の駆動トルクが低く抑えられる。
【００３０】
なお、この実施形態では、潤滑油量調整空間６１が鍔輪６０の端面に設けた溝により構成されているが、溝の代わりに切欠きとしても良い。また、潤滑油量調整空間６１を構成する溝を鍔輪６０の端面の全周に続く環状溝としているが、鍔輪６０の端面の径方向の一部にだけ形成された溝としても良い（図示省略）。その場合、溝の径方向幅を適正に設定することによっても、潤滑油量調整空間６１から軸受空間に入る潤滑油量を管理することができる。
【００３１】
ノズル８から吐出された潤滑油のうち、潤滑油孔６２および潤滑油量調整空間６１からも、隙間δからも軸受空間に入らなかった潤滑油は、排油として潤滑油導入部材７の軸受外排油口１０から外部へ排出される。また、軸受空間に入って潤滑に使用された後の潤滑油は、潤滑油導入部材７の軸受内排油口１１、および円筒ころ軸受１を挟んで潤滑油導入部材７とは反対側に位置する排油溝１３から外部に排出される。
【００３２】
図５および図６は、第２の発明の実施形態を示す。この実施形態のころ軸受１は、片鍔付きの内輪２と、この内輪２の鍔無し側の端面に接する鍔輪６０と、鍔無しの外輪３とを有し、内外輪２，３の軌道面２ａ，３ａ間に転動体である複数の円筒ころ４が介在させてある点では、第１の実施形態と同じである。第１の実施形態と異なる点は、内輪２の鍔輪６０に接する端面とは反対側の端面に全周に続く円周溝６を設け、この円周溝６の底面から潤滑油量調整空間６１へ、内輪２を軸方向に貫通する潤滑油孔６２により連通させたことである。潤滑油量調整空間６１は、前記同様、内輪２と鍔輪６０間に形成されていて、その外周端が内輪軌道面２ａの軸方向端で軸受空間に開口している。この実施形態では、潤滑油量調整空間６１は、内輪２の端面に設けられた全周に続く円周の溝からなる。
【００３３】
この実施形態の場合、潤滑油導入部材７の外径側から給油路９を経て導入された冷却媒体兼用の潤滑油が、ノズル８から内輪２の円周溝６に向けて噴出される。円周溝６で受け止められた潤滑油により、内輪６０が端面側から冷却される。
【００３４】
円周溝６で受け止められた潤滑油の一部は、内輪２を軸方向に貫通する潤滑油孔６２を通って潤滑油量調整空間６１に流入し、さらに潤滑油量調整空間６１から軸受空間に入り、内輪２の鍔面２ｂおよび内輪２の軌道面２ａを潤滑する。内輪２の軌道面２ａを潤滑した潤滑油は、その後、鍔輪６０の鍔面６０ａも潤滑する。また、ノズル８から吐出された潤滑油のうちのごく少量は、潤滑油導入部材７の環状鍔部７ａと内輪２の外径面との間の隙間δからも、軸受内に流入し、潤滑に使用される。
【００３５】
この実施形態の場合も、潤滑油量調整空間６１から、滑り接触やスキューによって潤滑不足となり易い円筒ころ４の端面に重点的に潤滑油が供給されるため、総量的には少ない潤滑油でありながら、円筒ころ４の端面の潤滑が良好に行われる。また、内輪２の軌道面２ａの潤滑も良好に行われる。前記同様に、潤滑油量調整空間６１の加工が容易であり、潤滑油量調整空間６１を任意の幅に精度良く加工して、軸受空間に入る潤滑油量を正確に管理できる。
【００３６】
また、この実施形態では、円周溝６から潤滑油量調整空間６１へ通じる潤滑油孔６２が、内輪２を軸方向に貫通して設けられていることにより、上記作用効果に加えて、以下の作用効果が得られる。すなわち、潤滑油が潤滑油孔６２を流れる間に、内輪２を軸方向の全体にわたって冷却する。そのため、内輪２が軸方向に均等に冷却され、内輪軌道面２ａの軸方向の冷却分布の差を抑えることができる。これにより、円筒ころ４の面圧分布の不均等が回避できる。
【００３７】
前記各実施形態はいずれもころ軸受１が円筒ころ軸受であるが、ころ軸受１を円すいころ軸受としても良い。図７、図８は円すいころ軸受に第１の発明を適用した例であり、図７は円すいころ１４の小径側に潤滑油導入部材７を配置した実施形態、図８は円すいころ１４の大径側に潤滑油導入部材７を配置した実施形態である。また、図９、図１０は円すいころ軸受に第２の発明を適用した例であり、図９は円すいころ１４の小径側に潤滑油導入部材７を配置した実施形態、図１０は円すいころ１４の大径側に潤滑油導入部材７を配置した実施形態である。前記実施形態と比べ、ころの違いによりその周辺部材の形状が異なっているが、基本的には、ころ以外は前記実施形態と同じ構成であり、同一箇所には同一符号を付して示してある。
【００３８】
図１１は、この発明にかかるころ軸受の潤滑装置を備えた高速スピンドル装置の一例を示す。図１２はその部分拡大図である。このスピンドル装置２４は工作機械に応用されるものであり、主軸２５の前側（加工側）端部に工具またはワークのチャックが取付けられる。主軸２５は、軸方向に離れた複数（ここでは２つ）の転がり軸受により支持されている。ここでは、主軸２５の前側端部がアンギュラ玉軸受１´により、主軸２５の後ろ側が、例えば図１ないし図４に示したころ軸受１によりそれぞれ支持されている。
【００３９】
スピンドルハウジングは、外ハウジング４３と、内ハウジング４４と、この内ハウジング４４の内側に嵌合する後ろ側軸受箱２６Ａおよび前側軸受箱２６Ｂとでなる。後ろ側軸受箱２６Ａと前側軸受箱２６Ｂ間の軸方向位置には、モータ４５が収容されている。
【００４０】
ころ軸受１の内輪２および鍔輪６０は主軸２５の外径面に嵌合し、外輪３は前記後ろ側軸受箱２６Ａの内径面に嵌合している。内輪２は、前記内輪間座２１を介して主軸２５の段部２５ａに対して位置決めされ、その反対側は、内輪位置決め部材２７を介して、主軸蓋２８と押さえ蓋３０Ａにより、後ろ側軸受箱２６Ａ内に固定されている。外輪３は、前記潤滑油導入部材７を介して後ろ側軸受箱２６Ａの段部２６Ａａに対して位置決めされ、その反対側は外輪間座２０および外輪位置決め部材２９を介して押さえ蓋３０Ａにより、後ろ側軸受箱２６Ａ内に固定されている。
アンギュラ玉軸受１´の内輪２は主軸２５の外径面に嵌合し、外輪３は前記前側軸受箱２６Ｂの内径面に嵌合している。アンギュラ玉軸受１´の位置決め構造については説明を省略する。
【００４１】
後ろ側軸受箱２６Ａの押さえ蓋３０Ａおよび前側軸受箱２６Ｂの押さえ蓋３０Ｂには、軸受１，１´をジェット潤滑する場合の供給源である冷却油供給装置３２から冷却された潤滑油を導入する冷却油導入孔３３がそれぞれ設けられている。これら冷却油導入孔３３は、前後の軸受箱２６Ａ，２６Ｂに設けられた冷却油供給路３４に連通し、この冷却油供給路３４が潤滑油導入部材７の給油路９に連通している。冷却油供給装置３２からの給油路３８は、油ろ過器４０および圧力調整弁４１を経て押さえ蓋３０Ａ，３０Ｂの冷却油導入孔３３につながっている。
【００４２】
また、押さえ蓋３０Ａ，３０Ｂには排油孔３５が設けられ、これら排油孔３５は軸受箱２６Ａ，２６Ｂに設けられた排油路３６から潤滑油導入部材７の軸受内排油口１０、軸受外排油口１１、および内輪位置決め部材２７の排油溝１３に連通しており、軸受の冷却および潤滑に使用されて排油口１０，１１および排油溝１３から流出した排油が、排油路３６→排油孔３５→排油ポンプ３７を経て冷却油供給装置３２に回収される。
【００４３】
このように構成されたスピンドル装置２４では、上記したころ軸受の潤滑装置を組み込んでいるので、ころ軸受１内への給油による攪拌抵抗が小さく主軸２５の駆動トルクを小さくでき、高速化および温度上昇低減が可能となる。
なお、このスピンドル装置２４は、図１ないし図４に示す実施形態にかかるころ軸受の潤滑装置を適用した場合につき説明したが、他の実施形態にかかるころ軸受の潤滑装置を用いても良い。
【図面の簡単な説明】
【００４４】
【図１】（Ａ）は第１の発明の実施形態にかかるころ軸受の潤滑装置を主軸に組み込んだ状態を示す断面図、（Ｂ）はその部分底面図である。
【図２】同ころ軸受の潤滑装置の一部を拡大して示した断面図である。
【図３】同ころ軸受の潤滑装置の鍔輪の部分正面図である。
【図４】同ころ軸受の潤滑装置の潤滑油導入部材の正面図である。
【図５】（Ａ）は第２の発明の実施形態にかかるころ軸受の潤滑装置を主軸に組み込んだ状態を示す断面図、（Ｂ）はその部分底面図である。
【図６】同ころ軸受の潤滑装置の一部を拡大して示した断面図である。
【図７】第１の発明の異なる実施形態にかかるころ軸受の軸受装置の一部を拡大して示した断面図である。
【図８】第１の発明のさらに異なる実施形態にかかるころ軸受の軸受装置の一部を拡大して示した断面図である。
【図９】第２の発明の異なる実施形態にかかるころ軸受の軸受装置の一部を拡大して示した断面図である。
【図１０】第２の発明のさらに異なる実施形態にかかるころ軸受の軸受装置の一部を拡大して示した断面図である。
【図１１】この発明のころ軸受の潤滑装置を備えたスピンドル装置の構成図である。
【図１２】同スピンドル装置の部分拡大図である。
【図１３】仮想の円筒ころ軸受の潤滑装置を示す部分断面図である。
【図１４】提案例にかかる円筒ころ軸受の潤滑装置を示す部分断面図である。
【図１５】異なる提案例にかかる円筒ころ軸受の潤滑装置を示す部分断面図である。
【符号の説明】
【００４５】
１…ころ軸受
２…内輪
２ａ…内輪の軌道面
２ｂ…内輪の鍔面
３…外輪
４…円筒ころ
５…保持器
６…円周溝
７…潤滑油導入部材
８…ノズル
１４…円すいころ
６０…鍔輪
６０ａ…鍔輪の鍔面
６１…潤滑油調整孔
６２…潤滑油孔
【図１】
2008286270.tif 000003
【図２】
2008286270.tif 000004
【図３】
2008286270.tif 000005
【図４】
2008286270.tif 000006
【図５】
2008286270.tif 000007
【図６】
2008286270.tif 000008
【図７】
2008286270.tif 000009
【図８】
2008286270.tif 000010
【図９】
2008286270.tif 000011
【図１０】
2008286270.tif 000012
【図１１】
2008286270.tif 000013
【図１２】
2008286270.tif 000014
【図１３】
2008286270.tif 000015
【図１４】
2008286270.tif 000016
【図１５】
2008286270.tif 000017